(57)【特許請求の範囲】
【請求項１】
ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、
判定対象となるウェブサイトを構成するウェブページのＵＲＬと、当該ウェブページの最新の診断結果と、この最新の診断結果が出る前の当該ウェブページの診断結果と、当該ウェブページが参照する認証マーク画像と、前記ウェブページを診断した日時と、前記ウェブページを診断した日時に最も近い当該ウェブページの診断結果に変化があった日時と、を保存する情報蓄積手段と、
この情報蓄積手段に保存されたＵＲＬに基づいて、判定対象となるウェブページを取得し、取得したウェブページをユニバーサルデザインの認証基準に従って診断する診断手段と、
を備え、
前記診断手段は、前記ウェブページを診断し、この診断結果を最新の診断結果として前記情報蓄積手段に保存し、
前記最新の診断結果が合格であって、この最新の診断結果が出る前の当該ウェブページの診断結果が合格であった場合、前記診断手段は、前記情報蓄積手段に保存されたウェブページの診断日時と、このウェブページの診断結果が合格と変化した日時と、に基づいて、判定対象となるウェブページが前記認証基準に合格している期間を算出して、この算出された期間を表示した認証マーク画像を作成し、前記情報蓄積手段に保存された認証マーク画像を作成された認証マーク画像に書き換え、
前記最新の診断結果が合格であって、この最新の診断結果が出る前の当該ウェブページの診断結果が不合格であった場合、前記診断手段は、前記情報蓄積手段に保存されたウェブページの診断日時と、このウェブページの診断結果が不合格と変化した日時と、に基づいて、判定対象となるウェブページが不合格である期間を算出し、この算出された期間があらかじめ設定された期間内であることを条件に前記不合格である期間を、判定対象となるウェブページが前記認証基準に合格している期間とみなして、当該ウェブページが前記認証基準に合格している期間を算出して、算出された期間を表示した認証マーク画像を作成し、前記情報蓄積手段に保存された認証マーク画像を作成された認証マーク画像に書き換え、
前記最新の診断結果が不合格であった場合、前記診断手段は、前記ウェブページが前記認証基準に不合格であることを表示した認証マーク画像を作成し、前記情報蓄積手段に保存された認証マーク画像を作成された認証マーク画像に書き換える
ことを特徴とする認証マーク制御装置。
【請求項２】
ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、
判定対象となるウェブサイトを構成するウェブページのＵＲＬと、当該ウェブページの最新の診断結果と、この最新の診断結果が出る前の当該ウェブページの診断結果と、前記ウェブページを診断した日時と、前記ウェブページを診断した日時に最も近い当該ウェブページの診断結果に変化があった日時と、を保存する情報蓄積手段と、
この情報蓄積手段に保存されたＵＲＬに基づいて、判定対象となるウェブページを取得し、取得したウェブページをユニバーサルデザインの認証基準に従って診断する診断手段と、
を備え、
前記診断手段は、前記ウェブページを診断し、この診断結果を最新の診断結果として前記情報蓄積手段に保存し、
前記最新の診断結果が合格であって、この最新の診断結果が出る前の当該ウェブページの診断結果が合格であった場合、前記診断手段は、前記情報蓄積手段に保存されたウェブページの診断日時と、このウェブページの診断結果が合格と変化した日時と、に基づいて、判定対象となるウェブページが前記認証基準に合格している期間を算出して、この算出された期間を表示した認証マーク画像を作成し、前記ウェブサーバに保存された認証マーク画像を作成された認証マーク画像に書き換え、
前記最新の診断結果が合格であって、この最新の診断結果が出る前の当該ウェブページの診断結果が不合格であった場合、前記診断手段は、前記情報蓄積手段に保存されたウェブページの診断日時と、このウェブページの診断結果が不合格と変化した日時と、に基づいて、判定対象となるウェブページが不合格である期間を算出し、この算出された期間があらかじめ設定された期間内であることを条件に前記不合格である期間を、判定対象となるウェブページが前記認証基準に合格している期間とみなして、当該ウェブページが前記認証基準に合格している期間を算出して、算出された期間を表示した認証マーク画像を作成し、前記ウェブサーバに保存された認証マーク画像を作成された認証マーク画像に書き換え、
前記最新の診断結果が不合格であった場合、前記診断手段は、前記ウェブページが前記認証基準に不合格であることを表示した認証マーク画像を作成し、前記ウェブサーバに保存された認証マーク画像を作成された認証マーク画像に書き換える
ことを特徴とする認証マーク制御装置。
【請求項３】
ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、
判定対象となるウェブサイトを構成するウェブページのＵＲＬと、当該ウェブページの診断結果と、当該ウェブページが参照する認証マーク画像と、前記ウェブページを診断した日時と、前記ウェブページを診断した日時に最も近い当該ウェブページの診断結果が合格と変化した日時と、を保存する情報蓄積手段と、
この情報蓄積手段に保存されたＵＲＬに基づいて、判定対象となるウェブページを取得し、取得したウェブページをユニバーサルデザインの認証基準に従って診断する診断手段と、
を備え、
前記診断手段は、前記ウェブサーバに保存されたウェブページの閲覧要求があったときに、前記ウェブページの診断を行い、前記情報蓄積手段に当該ウェブページを診断した日時を保存し、前記診断結果が合格であった場合、前記情報蓄積手段に保存されたウェブページの診断日時と、このウェブページの診断結果が合格と変化した日時と、に基づいて、判定対象となるウェブページが前記認証基準に合格している期間を算出して、算出された期間を表示した認証マーク画像を作成し、前記情報蓄積手段に保存された認証マーク画像を作成された認証マーク画像に書き換える
ことを特徴とする認証マーク制御装置。
【請求項４】
ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、
判定対象となるウェブサイトを構成するウェブページのＵＲＬと、当該ウェブページの診断結果と、前記ウェブページを診断した日時と、前記ウェブページを診断した日時に最も近い当該ウェブページの診断結果が合格と変化した日時と、を保存する情報蓄積手段と、
この情報蓄積手段に保存されたＵＲＬに基づいて、判定対象となるウェブページを取得し、取得したウェブページをユニバーサルデザインの認証基準に従って診断する診断手段と、
を備え、
前記診断手段は、前記ウェブサーバに保存されたウェブページの閲覧要求があったときに、前記ウェブページの診断を行い、前記情報蓄積手段に当該ウェブページを診断した日時を保存し、前記診断結果が合格であった場合、前記情報蓄積手段に保存されたウェブページの診断日時と、このウェブページの診断結果が合格と変化した日時と、に基づいて、判定対象となるウェブページが前記認証基準に合格している期間を算出して、算出された期間を表示した認証マーク画像を作成し、前記ウェブサーバに保存された認証マーク画像を作成された認証マーク画像に書き換える
ことを特徴とする認証マーク制御装置。
【請求項５】
請求項１〜４のいずれか１項に記載の認証マーク制御装置として、コンピュータを機能させる
ことを特徴とする認証マーク制御プログラム。
【発明の詳細な説明】
【技術分野】
【０００１】
本発明は、主にインターネット上に公開されているウェブコンテンツ（Ｗｅｂ  Ｃｏｎｔｅｎｔｓ）を診断した結果に応じて認証マークを付与する技術に関する。
【背景技術】
【０００２】
インターネット社会の進展に伴い、インターネットによる情報取得の機会が増えてきた。それに伴い、ウェブコンテンツは誰にでも扱うことができるようにデザインされることが求められている。これは、ウェブのアクセシビリティ、あるいはウェブのユニバーサルデザインなどと呼ばれ、ますます重要になってきている。また、「使いやすさ」はユーザビリティと呼ばれており、いろいろな観点から工夫をしてウェブコンテンツを制作する必要がある。
【０００３】
例えば、ウェブのユニバーサルデザインの観点からすると、画像が閲覧できない利用者のためにウェブコンテンツに含まれる画像に代替テキストを付けたり、ユーザが自由に文字を拡大できるように文字の大きさを相対値で指定したり、背景色と文字色の明度コントラストを上げたりすることは有効である。また、これに関連して、特許文献１には、視覚障がい者であってもウェブを利用できる音声ブラウザシステムについて記載されている。
【０００４】
これらの配慮すべき項目はＷ３Ｃ（Ｗｏｒｌｄ  Ｗｉｄｅ  Ｗｅｂ  Ｃｏｎｓｏｒｔｉｕｍ）の「Ｗｅｂ  Ｃｏｎｔｅｎｔ  Ａｃｃｅｓｓｉｂｉｌｉｔｙ  Ｇｕｉｄｅｌｉｎｅｓ  １．０」やＪＩＳ規格の「ＪＩＳ  Ｘ８３４１−３」で基準が定められている。これらの基準を使えば、ウェブコンテンツがユニバーサルデザイン等に対応しているか否かを診断することが可能である。また、これらの基準に基づくチェックツールも開発され、一般に公開されている。このチェックツールを使えば、効率的にウェブコンテンツの診断を行うことができる。
【０００５】
例えば、「画像に代替テキストを付ける」という項目は、「ＩＭＧ要素にはａｌｔ属性を設定する」ということになり、ＨＴＭＬ文書の中でＩＭＧタグを検索し、「ａｌｔ＝”ＡＢＣ”」などがあれば、この項目を満たしていると言える。この場合には、「ＡＢＣ」が代替テキストとなる。このとき、チェックツールは文字列検索技術のひとつであるパターンマッチングの機能を有しており、ＨＴＭＬ文書の＜ＩＭＧ＞というタグを検索し、その中に「ａｌｔ＝”ＡＢＣ”」などという表現があるかどうかをチェックする。
【０００６】
例えば、ＩＭＧタグは、＜ＩＭＧ  ｓｒｃ＝”ｉｍａｇｅ／ｉｍａｇｅ．ｊｐｇ”ａｌｔ＝”ＡＢＣ”  ｗｉｄｔｈ＝１００  ｈｅｉｇｈｔ＝１００＞のような形をしている。
【０００７】
このような場合、「＜ＩＭＧ」から始まり「＞」で終わるまでに、「ａｌｔ」があればＯＫ、なければＮＧなどと診断することができる。
【０００８】
このようにガイドラインやチェックツールを使ってウェブページを診断すれば、ウェブがユニバーサルデザインなどに対応しているかをチェックすることが可能である。また、ウェブのユーザビリティ（使いやすさ）などに対しても、一定の基準があれば診断を行うことが可能である。例えば、「地図のページには電話番号を併記する」などという基準を設ければ、その診断基準によって診断を行うことができる。
【０００９】
このようなチェックツールを使った診断を行った場合に、ウェブページに診断済みのマークを付ける等のサービスが存在する。
【特許文献１】特開平１１−２４９８６７号公報
【発明の開示】
【発明が解決しようとする課題】
【００１０】
しかしながら、従来は、ある基準に従っているウェブコンテンツに認証マークを付けることができるものの、ウェブコンテンツは日々更新されることから、ある時点で認証マークが与えられるようなデザインになっていても、更新した瞬間に認証マークを取り消さなければならなくなる状況もあり得る。
【００１１】
特に、ある時点で、コストをかけてよいデザインのウェブコンテンツを制作しても、小さな更改を繰り返すうちにユニバーサルデザイン等の認証基準に対する配慮点が少なくなり、かかる基準を満たさないものになってしまうことも少なくない。
【００１２】
また、従来の認証マークは、長期間に認証を受け続けることのモチベーションを上げることができないおそれもあった。すなわち、認証マークは、診断した時点で認証基準を満たしているウェブコンテンツであると表現しているものの、長期間にわたって認証基準を満すウェブコンテンツを制作したとしても、それが表現できず、ウェブ制作の側のアピールの手段にするには弱い。
【００１３】
そこで、本発明は、認証マークに認証基準を満たしている期間を表示し、認証マークの信頼性およびウェブ制作者のモチベーションを向上させることを解決課題としている。
【課題を解決するための手段】
【００１４】
本発明は、前記課題を解決するために創作された技術的思想であって、ウェブ上のコンテンツを制作者以外の診断者がチェックツールなどを使って診断し、診断結果が認証基準を満たしている場合に認証マークを付与する。このとき認証期間、即ちコンテンツが連続して認証基準を満たしている期間あるいは認証基準を満たしていた期間を計測し、認証マークに表示している。
【００１５】
具体的には、請求項１記載の発明は、ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、判定対象となるウェブサイトを構成するウェブページのＵＲＬと、当該ウェブページの最新の診断結果と、この最新の診断結果が出る前の当該ウェブページの診断結果と、当該ウェブページが参照する認証マーク画像と、前記ウェブページを診断した日時と、前記ウェブページを診断した日時に最も近い当該ウェブページの診断結果に変化があった日時と、を保存する情報蓄積手段と、この情報蓄積手段に保存されたＵＲＬに基づいて、判定対象となるウェブページを取得し、取得したウェブページをユニバーサルデザインの認証基準に従って診断する診断手段と、を備え、前記診断手段は、前記ウェブページを診断し、この診断結果を最新の診断結果として前記情報蓄積手段に保存し、前記最新の診断結果が合格であって、この最新の診断結果が出る前の当該ウェブページの診断結果が合格であった場合、前記診断手段は、前記情報蓄積手段に保存されたウェブページの診断日時と、このウェブページの診断結果が合格と変化した日時と、に基づいて、判定対象となるウェブページが前記認証基準に合格している期間を算出して、この算出された期間を表示した認証マーク画像を作成し、前記情報蓄積手段に保存された認証マーク画像を作成された認証マーク画像に書き換え、前記最新の診断結果が合格であって、この最新の診断結果が出る前の当該ウェブページの診断結果が不合格であった場合、前記診断手段は、前記情報蓄積手段に保存されたウェブページの診断日時と、このウェブページの診断結果が不合格と変化した日時と、に基づいて、判定対象となるウェブページが不合格である期間を算出し、この算出された期間があらかじめ設定された期間内であることを条件に前記不合格である期間を、判定対象となるウェブページが前記認証基準に合格している期間とみなして、当該ウェブページが前記認証基準に合格している期間を算出して、算出された期間を表示した認証マーク画像を作成し、前記情報蓄積手段に保存された認証マーク画像を作成された認証マーク画像に書き換え、前記最新の診断結果が不合格であった場合、前記診断手段は、前記ウェブページが前記認証基準に不合格であることを表示した認証マーク画像を作成し、前記情報蓄積手段に保存された認証マーク画像を作成された認証マーク画像に書き換えることを特徴としている。
【００１６】
請求項２記載の発明は、ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、判定対象となるウェブサイトを構成するウェブページのＵＲＬと、当該ウェブページの最新の診断結果と、この最新の診断結果が出る前の当該ウェブページの診断結果と、前記ウェブページを診断した日時と、前記ウェブページを診断した日時に最も近い当該ウェブページの診断結果に変化があった日時と、を保存する情報蓄積手段と、この情報蓄積手段に保存されたＵＲＬに基づいて、判定対象となるウェブページを取得し、取得したウェブページをユニバーサルデザインの認証基準に従って診断する診断手段と、を備え、前記診断手段は、前記ウェブページを診断し、この診断結果を最新の診断結果として前記情報蓄積手段に保存し、前記最新の診断結果が合格であって、この最新の診断結果が出る前の当該ウェブページの診断結果が合格であった場合、前記診断手段は、前記情報蓄積手段に保存されたウェブページの診断日時と、このウェブページの診断結果が合格と変化した日時と、に基づいて、判定対象となるウェブページが前記認証基準に合格している期間を算出して、この算出された期間を表示した認証マーク画像を作成し、前記ウェブサーバに保存された認証マーク画像を作成された認証マーク画像に書き換え、前記最新の診断結果が合格であって、この最新の診断結果が出る前の当該ウェブページの診断結果が不合格であった場合、前記診断手段は、前記情報蓄積手段に保存されたウェブページの診断日時と、このウェブページの診断結果が不合格と変化した日時と、に基づいて、判定対象となるウェブページが不合格である期間を算出し、この算出された期間があらかじめ設定された期間内であることを条件に前記不合格である期間を、判定対象となるウェブページが前記認証基準に合格している期間とみなして、当該ウェブページが前記認証基準に合格している期間を算出して、算出された期間を表示した認証マーク画像を作成し、前記ウェブサーバに保存された認証マーク画像を作成された認証マーク画像に書き換え、前記最新の診断結果が不合格であった場合、前記診断手段は、前記ウェブページが前記認証基準に不合格であることを表示した認証マーク画像を作成し、前記ウェブサーバに保存された認証マーク画像を作成された認証マーク画像に書き換えることを特徴としている。
【００１７】
請求項３記載の発明は、ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、判定対象となるウェブサイトを構成するウェブページのＵＲＬと、当該ウェブページの診断結果と、当該ウェブページが参照する認証マーク画像と、前記ウェブページを診断した日時と、前記ウェブページを診断した日時に最も近い当該ウェブページの診断結果が合格と変化した日時と、を保存する情報蓄積手段と、この情報蓄積手段に保存されたＵＲＬに基づいて、判定対象となるウェブページを取得し、取得したウェブページをユニバーサルデザインの認証基準に従って診断する診断手段と、を備え、前記診断手段は、前記ウェブサーバに保存されたウェブページの閲覧要求があったときに、前記ウェブページの診断を行い、前記情報蓄積手段に当該ウェブページを診断した日時を保存し、前記診断結果が合格であった場合、前記情報蓄積手段に保存されたウェブページの診断日時と、このウェブページの診断結果が合格と変化した日時と、に基づいて、判定対象となるウェブページが前記認証基準に合格している期間を算出して、算出された期間を表示した認証マーク画像を作成し、前記情報蓄積手段に保存された認証マーク画像を作成された認証マーク画像に書き換えることを特徴としている。
【００１８】
請求項４記載の発明は、ウェブサイトが保存されるウェブサーバと通信可能に接続され、前記ウェブサーバ上のウェブサイトをネットワーク経由で診断し、該ウェブサイトを認証する認証マークを前記ウェブサイトに与える認証マーク制御装置であって、判定対象となるウェブサイトを構成するウェブページのＵＲＬと、当該ウェブページの診断結果と、前記ウェブページを診断した日時と、前記ウェブページを診断した日時に最も近い当該ウェブページの診断結果が合格と変化した日時と、を保存する情報蓄積手段と、この情報蓄積手段に保存されたＵＲＬに基づいて、判定対象となるウェブページを取得し、取得したウェブページをユニバーサルデザインの認証基準に従って診断する診断手段と、を備え、前記診断手段は、前記ウェブサーバに保存されたウェブページの閲覧要求があったときに、前記ウェブページの診断を行い、前記情報蓄積手段に当該ウェブページを診断した日時を保存し、前記診断結果が合格であった場合、前記情報蓄積手段に保存されたウェブページの診断日時と、このウェブページの診断結果が合格と変化した日時と、に基づいて、判定対象となるウェブページが前記認証基準に合格している期間を算出して、算出された期間を表示した認証マーク画像を作成し、前記ウェブサーバに保存された認証マーク画像を作成された認証マーク画像に書き換えることを特徴としている。
【００２２】
請求項５記載の発明は、請求項１〜４のいずれか１項に記載の認証マーク制御装置として、コンピュータを機能させることを特徴とする認証マーク制御プログラムに関する。
【発明の効果】
【００２３】
請求項１〜５記載の発明によれば、認証マークにコンテンツの認証期間が表示されることから、認証マークの信頼性が向上するばかりか、ウェブ制作者にとってもウェブ閲覧者にアピールする手段として有効に利用できる。
【００２４】
したがって、ウェブ制作者にとっては、長く認証を受け続けることのモチベーションが向上し、この点でユニバーサルデザインあるいはユーザビリティ等の任意の基準に則ったコンテンツの普及に貢献する。
【００２５】
特に、請求項１、２記載の発明によれば、更新コンテンツの診断結果が不合格の場合に一定期間内に修正すれば連続的に認証されているものと扱われることから、ウェブ制作者のモチベーションの低下が防止される。
【００２６】
また、請求項３、４記載の発明によれば、ウェブ閲覧者の閲覧するコンテンツには最新の診断結果に応じた認証期間が表示されることから、認証マークの信頼性が一層向上し、ウェブ制作者のアピール手段としてさらに有効に利用できる。
【発明を実施するための最良の形態】
【００２７】
図１は、本発明の実施形態に係る認証マーク制御装置１０１の構成例およびネットワーク構成例を示している。
【００２８】
この認証マーク制御装置１０１は、ネットワーク１０２を経由して、２台のウェブサーバ１０３．１０４、およびウェブ閲覧者ＰＣ１０５と通信可能に接続され、ウェブサーバ１０３．１０４から診断対象のウェブコンテンツを取得し、該ウェブコンテンツを認証基準に従って診断した結果に応じた認証マークを付与している。
【００２９】
この認証基準としては、Ｗ３Ｃ（Ｗｏｒｌｄ  Ｗｉｄｅ  Ｗｅｂ  Ｃｏｎｓｏｒｔｉｕｍ）の「Ｗｅｂ  Ｃｏｎｔｅｎｔ  Ａｃｃｅｓｓｉｂｉｌｉｔｙ  Ｇｕｉｄｅｌｉｎｅｓ  １．０」やＪＩＳ規格の「ＪＩＳ  Ｘ８３４１−３」で基準が定められている。もっとも、認証基準はこれに限定されるものではなく、設定や使用に応じ適宜に診断内容に合わせた基準に変更することができる。
【００３０】
具体的には、認証マーク制御装置１０１は、サーバあるいはパーソナルコンピュータ（ＰＣ）により構成され、図１に示すように、キーボードやマウスなどの入力デバイスである情報入力部１と、各構成要素の制御や演算処理をする制御部２（例えばＣＰＵなど）と、ネットワーク接続に使用する通信デバイスなどの送受信部３と、取得したウェブコンテンツを画像化する情報解析部４と、処理データを記録可能なハードディスクドライブ装置などの保存手段で構成された情報蓄積部５と、ウェブコンテンツを認証基準に基づき診断する情報診断部６と、ディスプレイやスピーカなどの出力デバイスである情報出力部７と、診断日時などを設定可能なタイマ８とを備え、ハードディスクドライブ装置に保存された前記認証基準を読み出して診断が行われる。
【００３１】
前記情報解析部４は、ウェブサーバ１０３．１０４から取得したウェブコンテンツの情報を計算によって画像化（レンダリング）し、ディスプレイなどの前記情報出力部７へ表示する。この機能は、例えばコンピュータのハードディスクドライブ装置などにインストールされたレンダリング用アプリケーションプログラムを、前記制御部２にて実行することにより実現される。
【００３２】
前記情報蓄積部５には、ウェブサーバ１０３．１０４から取得した診断対象のウェブコンテンツや該ウェブコンテンツの診断日時および診断結果などの情報が時系列に基づき保存されているものとする。
【００３３】
前記情報診断部６は、前記情報蓄積部５に保存された診断対象のウェブコンテンツを前記認証基準に基づいて診断する。この診断機能は、例えば一般に公開されている認証基準に基づくチェックツールなどをコンピュータにインストールし、前記制御部２などがこれを実行することにより実現される。
【００３４】
前記タイマ８には、診断を開始する日時や診断間隔などの診断スケジュールを予め設定しておくことができる。以下、認証マーク制御装置１０１の診断処理を実施例１〜３に沿って説明する。
【００３５】
（１）実施例１
本実施例では、認証マーク制御装置１０１は、前記タイマ８にあらかじめ指定されたスケジュールに従ってウェブページを定期的に診断し、ウェブページに付与されている認証マークに認証期間を表示する例を示している。
【００３６】
ここでは、認証マークの画像データは、前記情報蓄積部５にあらかじめ保存されているものとする。また、前記情報蓄積部５には、診断対象となるウェブページのＵＲＬ、そのウェブページが属するウェブサイトのトップページのＵＲＬなどを保存する診断対象データベースが構築されているものとする。この診断対象データベースの一例を表１に示す。
【００３７】
【表１】
0005033714.tif 000002
【００３８】
表１によれば、サイト整理番号１．２（以下、ウェブサイト１．２とする。）の各ページは、２００８年３月２２日１０時００分に診断されている。したがって、例えば前記タイマ８が２４時間毎に診断を行うように設定されている場合には、次回の診断は２００８年３月２３日１０時００分に開始される。以下、認証マーク制御装置１０１の動作を図２のフローチャートに基づき説明する。
【００３９】
Ｓ０１：まず、前記タイマ８で設定された日時になると、前記制御部２にて表１の診断対象データベースを参照し、最初の診断対象ＵＲＬを読み出す。ここでは表１におけるページ整理番号１の診断対象ＵＲＬを読み出す。このＵＲＬは「ｈｔｔｐ：／／ｗｗｗ．ａａａ．ｊｐ／ａａａ／ｉｎｄｅｘ．ｈｔｍｌ」である。このページを、ページ整理番号に従ってウェブページ１と呼ぶ。
【００４０】
Ｓ０２：前記制御部２は、前記送受信部３および前記ネットワーク１０２を通じて、ウェブページ１を格納するウェブサーバ１０３と通信し、ウェブページ１を受信する。このとき、前記ウェブページ１の診断対象ＵＲＬは、前記ウェブサーバ１０３上に存在するものとする。
【００４１】
Ｓ０３：前記制御部２は、Ｓ０２で受信したウェブページ１を前記情報蓄積部５に保存する。この保存した前記ウェブページ１の情報を前記情報解析部４にて画像化処理（レンダリング）し、ディスプレイなどの前記情報出力部７に表示する。このディスプレイに表示されたウェブページ１の表示例を図３に示す。
【００４２】
Ｓ０４：Ｓ０３で前記情報蓄積部５に保存されたウェブページ１を前記情報診断部にて前記認証基準に従って診断する。例えばハーディスクドライブ装置などにインストールされた既存のチェックツールを、タイマ８の設定日時に起動させて自動的に診断する。
【００４３】
また、図３のようなレンダリング後の表示や前記ウェブページ１のソースファイルを見ながら人が判断し、図４のような画面から結果を人が入力するようにしてもよい。図４は診断結果を入力する画面の例であり、判定の列にラジオボタンがあり、合格か不合格かを選択できるようになっている。図４の診断項目などのデータはあらかじめ前記情報蓄積部５に蓄積されており、これが前記情報出力部７に表示される。それを見て、人がマウスやキーボードなどの前記情報入力部１から結果を入力すればよい。
【００４４】
この診断結果は、前記情報診断部６にて、前記情報蓄積部５に構築されているページ診断結果データベースに記録される。このページ診断結果データベースの一例を表２に示す。
【００４５】
【表２】
0005033714.tif 000003
【００４６】
表２は、ウェブページ１に関する診断結果を示すレコードである。ここでは、表１の診断対象データベースに記載された診断対象のウェブページ数だけ、レコードをページ診断結果データベースに用意しておき、結果を追記するようにする。このページ診断結果データベースには、診断項目の項目番号、診断項目、配点が設定され、設定された項目に従って判定と得点とが診断後に追記される。
【００４７】
ここで、表２では診断項目はｎ個あるが、各診断項目の条件を満たしているとき、その項目に対する判定を合格とし、診断項目の条件を満たしていないときは不合格とする。合格であれば、その配点を得点の列に追記し、不合格であれば、得点を「０」とする。ここで配点が一様でないのは、各診断項目に対して重要度が異なり、優先度が付いているためである。この優先度が高いものは重要であるとして配点を５点とし、優先度が低くなるに従い配点を３点、１点としている。表２では、配点は１、３、５点の３段階となっている。このようにして全ての診断項目に対して同様の診断を行い、最後の項目「ｎ」の終了後に得点をすべて加算し、表２の最終行に追記する。ここでは、総得点は５２点となっている。
【００４８】
Ｓ０５：前記情報診断部６は、Ｓ０４の判定結果からウェブページ１が認証基準を満たしているか否かを判定する（診断結果の算出処理）。具体的には、前記情報診断部６にて、表２のページ診断結果データベースからウェブページ１の診断結果を読み出して判定する。
【００４９】
この判定は、Ｓ０４で算出したウェブページの総得点と、合否レベル（ボーダライン）とを比較して行われる。この合否レベルはプログラムの閾値として設定でき、仕様により適宜変更される。本実施例では、合否レベルを６０点とする。すなわち、ウェブページの総得点が６０点以上のときは合格と判定される一方、６０点未満のときは不合格と判定される。したがって、ウェブページ１は、表２に記述された５２点の総得点から、不合格と判定される。
【００５０】
なお、ここでは６０点以上と６０点以下で２種類の評価を与えているが、この評価は３種類以上であってもよい。例えば、６０点未満をＣ評価、６０点以上８０点未満をＢ評価、８０点以上をＡ評価などとしてもよい。このとき、合否レベルを６０点とすれば、Ａ、Ｂ評価は合格で、Ｃ評価は不合格となる。
【００５１】
この結果を、評価と判定とに分けて表１の前記診断対象データベースに追記することにする。例えば、５２点であればＣ評価で不合格、８８点であればＡ評価で合格などとなる。この結果を表１の前記診断対象データベースの対応する欄に上書きすると、診断後の診断対象データベースが構築される。表３に診断後の診断対象データベースの一例を示す。
【００５２】
【表３】
0005033714.tif 000004
【００５３】
表３では表１と異なり、最新診断日時が２００８年３月２３日１０時００分に更新されている。このようにして表１の診断対象データベースに記憶されたすべての診断対象ウェブページに対して診断を行う。
【００５４】
Ｓ０６：Ｓ０５のページ判定結果に基づいてウェブサイトの合否判定を行う。通常、ウェブサイトは、単一または複数のウェブページから構成されている。例えば表１．３に示すように、サイト整理番号１のウェブサイト（以下、ウェブサイト１という。）が、ウェブページ１〜６を有すると仮定すれば、ウェブページ１〜６の診断結果を総合して合否判定が行われる。
【００５５】
具体的には、まず、前記情報診断部６にて、表３の診断対象データベースからウェブページ毎の総得点や評価、合否判定などを読み出し、それらを前記情報蓄積部５に構築されたサイト診断結果データベースに記録する。このサイト診断結果データベースの一例を表４に示す。
【００５６】
【表４】
0005033714.tif 000005
【００５７】
表４は、ウェブサイト１の診断結果を示すレコードである。ここでは表３の診断対象データベースに記載された診断対象のウェブサイト数に応じて前記サイト診断結果データベースが用意され、診断結果を追記するものとする。
【００５８】
表４によれば、ウェブサイト１はページ整理番号が１〜ＮのＮ個のウェブページから構成されている（以下、各ウェブページをページ整理番号に従ってウェブページ１〜Ｎと表示する）。ここでウェブページ１の得点は２列目に示されているように５２点であり、ウェブページ２の得点は８０点である。また、各ウェブページの合否判定が４列目に、評価が５列目にそれぞれ示されている。
【００５９】
ところで、ウェブサイト１のように、複数のウェブページを有している場合には、各ウェブページを比較することにより評価される項目がある。例えば、ウェブサイトの中で、各ウェブページを容易に判別できるように、ウェブページのタイトルが別にされているか、あるいは、音声ブラウザで読み上げたときに区別しやすくするために、タイトルの先頭が異なる言葉で始まっているか、などである。これらの項目を、サイト特有診断項目と呼ぶ。
【００６０】
このサイト特有診断項目に関する診断は、前記情報診断部６にて、ウェブサイトを構成する複数のウェブページを前記情報蓄積部５から読み出し、それらを前記サイト特有診断項目に従って診断して行う。そして、診断結果を前記情報蓄積部５に構築されたサイト特有診断項目データベースに記録する。この診断項目がＭ個ある場合のサイト特有診断項目データベースの一例を表５に示す。
【００６１】
【表５】
0005033714.tif 000006
【００６２】
表５は、ウェブサイト１のサイト特有診断項目に関する診断結果のレコードを示している。ここでは、表１の診断対象データベースに記載された診断対象のウェブサイト数に応じて、前記サイト特有診断項目データベースを用意し、診断結果を追記するものとする。
【００６３】
表５のサイト特有診断項目データベースによれば、ウェブサイト１の総得点は９０点となっている。この総得点を、前記情報診断部６にて、表４に示したサイト診断結果データベースのページ番号「０」の行に追記し、合否判定と評価とを算出する。ここでは、得点９０点が追記され、これを基に合格判定およびＡ評価が算出・追記されている。
【００６４】
このとき、ウェブサイト特有診断項目の結果をウェブページの診断結果と同列に扱うために、ウェブページの診断による得点の最高得点が、ウェブサイト特有診断による得点と等しくなるよう正規化を行ってもよい。例えば、ウェブページによっては画像を持たないものもあり、そのようなウェブページに対して画像に関する診断を行っても得点が加算されず、総得点が極端に低くなる可能性がある。そのような場合には正規化が有効である。また、ウェブページによっても重要なページとそれほど重要でないページが考えられるため、配点により重み付けをしてもよい。しかし、究極には、どのページも等しく良い点数になるべきであるため、本実施例では配点はすべて「１」としている。
【００６５】
このようにサイト特有診断を行った後、前記情報診断部６にて、表４のサイト診断結果データベースからウェブサイトの診断結果を読み出して、対象ウェブサイトを合否判定する。このウェブサイトの合否判定には、いくつかの方法が挙げられる。
【００６６】
まず、各ウェブページの合否判定に基づき、合格であれば得点×配点（ここでは１点）、不合格は０点として総計を出す方法がある。これにより算出されたウェブページの得点の合計を、表４に示したサイト診断結果データベースに追記する。この例では、合計が１２３４５６点であるとする。これを総ページ数「Ｎ」で割ると、１ページあたりの平均得点を計算することができる。この平均得点が、あらかじめ設定された基準値以上であれば、このウェブサイトは合格、基準値以下であれば不合格とする。この例では、表４に示すように平均点が６６点なので、基準値を６０点とすると合格となる。または、ウェブページの評価を見て、「Ａ＝５点、Ｂ＝３点、Ｃ＝１点」などと点数に換算して総計を計算し、基準値と比較しても良い。
【００６７】
あるいは、各ウェブページの合否判定結果を考慮してウェブサイト全体の合否判定を行ってもよい。例えば本実施例では、合格が７５６ページ、不合格が２４４ページであるとする。このとき、全体の何パーセントが合格であればよいなどという基準値を設定すればよい。
【００６８】
例として、基準を全体の６０％以上とすれば、全体の７５．６％のウェブページが合格判定なので、このウェブサイト１は合格である。あるいは、全ページが合格でなければならないということでもよい。その場合には、基準を全体の１００％以上とすればよく、本実施例ではウェブサイト１は不合格となる。
【００６９】
ここでは基準値を全体の６０％以上とし、ウェブサイト１は合格であると合否判定するものとする。すなわち、ウェブページ１は５２点で不合格だが、ウェブページ１が属するウェブサイト１は合格である。このウェブサイトの合否判定結果は、表３の診断対象データベースの「サイトの判定」欄に追記される。なお、基準値は、プログラムに閾値として設定でき、仕様により適宜変更される。
【００７０】
Ｓ０７：前記情報診断部６は、Ｓ０５で診断したウェブページを診断対象のＵＲＬから特定し、この例で行った診断日時をタイマ８から読み出し、認証マーク管理データベースに最新診断日時の列に記録する。この認証マーク管理データベースの一例を表６に示す。
【００７１】
【表６】
0005033714.tif 000007
【００７２】
表６は、Ｓ０５．Ｓ０６で診断したウェブページおよびウェブサイトの認証マーク管理データベースを示している。この認証マーク管理データベースは前記情報蓄積部６に構築されているものとする。
【００７３】
前記認証マーク管理データベースに記録されるウェブページの特定には、ＵＲＬを検索すればよい。また、ウェブページ９のように認証マークの請求が初めての場合には、ＵＲＬが記録されていないことから、認証マーク管理データベースに新しい行を追加し、表６の最新診断日時の列に新規に記録する。
【００７４】
ここで追記される日時とは、Ｓ０５の結果が合格である場合は、合格となった日時を示している。Ｓ０５の結果が不合格である場合は、不合格となった日時を示している。以下、表６中の各列に記録されたデータに従ってＳ０８〜Ｓ１３の具体的な処理を説明する。
【００７５】
Ｓ０８〜Ｓ１０：前記情報診断部６は、Ｓ０６の結果が合格か否かを確認する（Ｓ０８）。ここではＳ０６の結果が不合格の場合にはＳ１１の処理に進む一方、Ｓ０６の結果が合格の場合にはＳ０９の処理に進み、診断前の合否判定を確認する。診断前の合否判定が合格の場合にはＳ１１の処理に進む。
【００７６】
なお、Ｓ０９では、認証マークの請求が初めてかどうかも判定する（表６中に記録が無いか否か）。初めての請求の場合にはＳ１０の処理に進み、診断日時を初合格日時として表６の認証マーク管理データベースに記録し、Ｓ１１の処理に進む。
【００７７】
Ｓ１１：前記情報診断部６は、初合格日時から現在日時までの期間を表６の認証マーク管理データベースに追記する。この例では、三段階に分け、６ヶ月未満（初めての合格を含む。）、６ヶ月以上１年未満、１年以上の種別を表６の認証マーク管理データベースに追記し、これらの期間に対応する認証マークを作成する。
【００７８】
図５は合格期間が６ヶ月未満、図６は合格期間が６ヶ月〜１年未満、図７は合格期間が１年以上の合格の認証マーク画像の一例を示している。図８は不合格の認証マーク画像の一例を示し、図９は修正中を示す認証マーク画像の一例を示している。これらの画像を使って、前記情報診断部６がウェブページの認証マークを書き換える。例えばウェブサーバ１０３上にある認証マーク画像やＨＴＭＬ文書を書き換えればよい。これらの動作により、認証を受けている期間に応じた、認証マークやメッセージを表示することができる。
【００７９】
以下、対象のウェブページの認証マークを表示する手順について説明する。表６の認証マーク管理データベースに示すように、各対象ウェブページに対して、ひとつの対象ウェブページ用マーク画像が設定されている。例えばウェブページ１は、ウェブサイト１に属し、認証マークとして、「ｎｉｎｓｙｏｕ１．ｊｐｇ」が設定されている。この画像は、「ｈｔｔｐ：／／ｗｗｗ．ｎｉｎｓｙｏｕ．ｊｐ／ｉｍｇ／ｎｉｎｓｙｏｕ１．ｊｐｇ」で参照することができるように設定されている。この対象ウェブページ用マーク画像は、各対象ウェブページに特有のものが設定され、「ｎｉｎｓｙｏｕ１．ｊｐｇ」などの画像を情報蓄積部５にあらかじめ蓄積しておく。
【００８０】
例えば、ウェブページ１のＨＴＭＬソースは、＜ｉｍｇ  ｓｏｕｒｃｅ  ＝  “  ｈｔｔｐ：／／ｗｗｗ．ｎｉｎｓｙｏｕ．ｊｐ／ｉｍｇ／ｎｉｎｓｙｏｕ１．ｊｐｇ  ａｌｔ  ＝  “診断結果”  ｗｉｄｔｈ＝”１９６“ｈｅｉｇｈｔ＝”５２“＞と記述されているものとする。これは、画像を表示することを指定しており、画像ファイルは「ｈｔｔｐ：／／ｗｗｗ．ｎｉｎｓｙｏｕ．ｊｐ／ｉｍｇ／ｎｉｎｓｙｏｕ１．ｊｐｇ」である。そのため、ウェブページ１には、「ｈｔｔｐ：／／ｗｗｗ．ｎｉｎｓｙｏｕ．ｊｐ／ｉｍｇ／ｎｉｎｓｙｏｕ１．ｊｐｇ」が表示される。この「ｎｉｎｓｙｏｕ１．ｊｐｇ」を図５〜図８のように書き換えればよい。
【００８１】
例えば、表６の認証マーク管理データベース中、ウェブページ１は、初合格日時が２００７年８月１日１５時２９分で最新診断日時は２００８年３月１２日１０時１１分であり、現在日時を２００８年３月２０日１０時２０分と仮定する。ここでは初合格日時２００７年８月１日１５時２９分と最新診断日時２００８年３月１２日１０時１１分を用いて、「このウェブページは２００７年８月１日１５時２９分から２００８年３月１２日１０時１１分までユニバーサルデザインに配慮したウェブページでした。２００８年３月１２日１０時１１分の診断で問題が発見されました。現在、修正中です。」などとメッセージを表示することができる。
【００８２】
また、表６の認証マーク管理データベース中、ウェブページ２は、初合格日時が２００７年１月２２日９時２５分で最新診断日時は２００８年２月２２日１９時２５分である。現在日時を同様に２００８年３月２０日１０時２０分とすれば、「このウェブページは２００７年２月２２日９時２５分の診断以来、ユニバーサルデザインに配慮したウェブページであり続けています。」などというメッセージを作成することができる。
【００８３】
また、表６の認証マーク管理データベース中、ウェブページ３の場合には、「このウェブページは２００７年１月２２日１５時２９分の診断以来、１年以上ユニバーサルデザインに配慮したウェブページであり続けています。」などというメッセージを作成することができる。このメッセージを認証マークと同じウェブページに記載してもよいし、認証マークにリンクを設定し、リンク先のウェブページを作成してそこに記載するようにしてもよい。
【００８４】
さらに、Ｓ０６の処理過程で説明したように、ウェブサイト全体の合否判定も行われることから、これに基づき認証マーク等を表示してもよい。例えばウェブサイト全体の認証期間を認証マークに表示させることも可能である。または、ウェブサイト全体の認証マーク等とウェブページの認証マークを並べて表示してもよい。この場合には各認証マークにそれぞれの認証期間を表示させることもできる。
【００８５】
Ｓ１２：前記情報診断部５は、Ｓ０５の合否判定結果に変更があったか否かを調査する。この結果を表６中、「変更の有無」の列に追記する。例えば、ウェブページ１は、診断前後で合否判定結果が相違し、前記列に「有」と記述されている。
【００８６】
Ｓ１３：情報診断部５は、Ｓ１２の調査の結果、ウェブページの合否判定結果に変更があった場合には、ウェブページの制作者に合否判定結果の変更を通知する。例えば、ウェブページ１のように、合格から不合格への変更があった場合には、ウェブページ１の制作者に修正を依頼する。一方、不合格から合格へ変更になった場合には、その旨をウェブページ１の制作者に通知する。
【００８７】
具体的には、電子メールの文面や各ウェブページの制作者のメールアドレスをあらかじめ前記情報蓄積部５に保存しておき、これらを前記制御部２にて電子メールソフトなどで編集して、前記送受信部３を経由して制作者のコンピュータに送信すればよい。
【００８８】
このようにしてタイマ８の設定日時に、チェックツールで自動診断し、その診断結果を反映して、認証マークに合格期間を表示すれば、認証マークの信頼性が向上するばかりか、ウェブページの制作者にとっても、ウェブ閲覧者にアピールする手段として有効に利用でき、これにより制作者のモチベーションが高められ、ユニバーサルデザインに沿ったウェブコンテンツの普及に貢献する。
【００８９】
一方、合格から不合格に変更された場合には、ウェブページの制作者に修正が依頼されるため、該製作者は迅速な修正ができ、同様にユニバーサルデザインに沿ったコンテンツの普及に貢献する。
【００９０】
（２）実施例２
本実施例では、認証マーク制御装置１０１は、制作者の更新したウェブページをウェブ上に公開する直前に診断し、ウェブページの認証マークに認証期間を表示する例を示している。ここでは、更新ページの診断結果が不合格であった場合でも一定期間内に修正できれば、連続して合格であるとみなし認証期間を連続的に算出している。
【００９１】
なお、本実施例では、認証マーク画像データはウェブ公開用のウェブサーバ１０３上にあらかじめ保存されているものとする。以下、本実施例における認証マーク制御装置１０１の動作を、図１０のフローチャートに基づき説明する。
【００９２】
Ｓ２１：前記認証マーク制御装置１０１は、認証マークの発行請求があったか否かを確認する。例えば、ウェブ制作者は、ウェブページを更新して公開しようとするときには、更新後のウェブページをウェブ公開用のウェブサーバ１０３にコピーする。その際、ウェブ制作者は認証マーク制御装置１０１に対し、認証マークの発行を請求する。この請求のときに、更新されたウェブページ２のＵＲＬと連絡先とをウェブサーバ１０３からネットワーク１０２経由で前記認証マーク制御装置１０１に送信し、公開前の診断を受ける。これを前記認証マーク制御装置１０１は送受信部３にて受信し、前記制御部２が受信を確認したときに認証マークの発行請求があったと判断してＳ２２へ進む。なお、Ｓ２２〜Ｓ２８の処理は、実施例１のＳ０２〜Ｓ０８の処理と同様であるので説明を省略する。
【００９３】
Ｓ２９．Ｓ３０：前記情報診断部６は、Ｓ２７で合格と合否判定されたウェブページが修正許可期間中に修正されたか否か判定する。すなわち、Ｓ２９では、前回の診断で不合格と合否判定されたウェブページが、修正許可期間内に合格と合否判定されたか否かを調べる。ここでは修正許可期間は１週間以内と設定されているものとする。言い換えれば、１週間以内に修正が行われれば、連続してユニバーサルデザインに配慮されているといってよいということである。この修正許可期間は、プログラムなどに閾値として設定でき、仕様により適宜変更される。なお、修正許可期間中は、図９の修正中を示す認証マークを付与することもできる。
【００９４】
ここではウェブページ４．５を一例に説明する。ウェブページ４．５は、前回の合否判定（表６中、「診断前の判定」）の診断日時を、２００８年１月２２日１９時２５分とする。また、ウェブページ４．５は、いずれも前回の合否判定は不合格であるとする。すなわち、表６中、ウェブページ５は、「前回の判定」の内容が今回の診断後に書き換えられているものとする。
【００９５】
ここでウェブページ４は、今回の診断日時（表６中、「最新診断日時」）が２００８年３月１２日１０時１１分であるから、修正の時間が１週間以上かかってしまっている。したがって、Ｓ３０に進み、前記情報診断部６は、今回の診断日時を初合格日時として記録する。すなわち、１週間以内に修正ができなかったため、初合格日時が今回の診断日時にリセットされることとなる。その後、Ｓ３１に進む。
【００９６】
一方、ウェブページ５は、今回の診断日時（表６中、「最新の診断日時」）が２００８年１月２５日５時１５分であるから、修正のための期間は２日間である。修正期間が一週間以内であるから、ウェブページ５は初合格日時がリセットされずにＳ３１に進む。なお、表６では省略したが、認証マーク管理データベースには、修正に要した期間を何日何時間何分かかったかを記述してもよい。
【００９７】
Ｓ３１：前記情報診断部６は、Ｓ１１と同様に初合格日時から現在日時までの期間を表６の認証マーク管理データベースに追記する。例えば、ウェブページ４は、初合格日時がリセットされる。表６中は、「初合格日時」欄に診断前の記述を残してある。ここには初合格日時として「２００７年１１月２２日５時９分」と記述されているが、今回の診断後には最新の診断日時（２００８年３月１２日）に書き換えられる。
【００９８】
したがって、ウェブページ４は、表６中の「合格期間」の列が「６ヶ月未満」に書き換えられる（表６中は、書換後の合格期間を表示してある。）。一方、ウェブページ３は、初合格日時がリセットされないことから、連続して合格しているものと扱われ、表６中の「合格期間」の列には「６ヶ月〜１年」と記述される。
【００９９】
Ｓ３２：前記情報診断部６は、Ｓ２５の合否判定結果に変更があったかを調査する。この結果を表６中の「変更の有無」の列に追記する。例えば、ウェブページ４は、診断前の合否判定と診断後の合否判定とが異なっているため、前記列に「有」と記述される。一方、ウェブページ５は、連続して合格であるとみなされるため、前記列に「無」と記述される。
【０１００】
Ｓ３３：Ｓ３２で変更あった場合には、前記制御部２は、前記送受信部６を通じて、ウェブページの制作者に合否判定結果の変更を通知する。例えば、ウェブページ４のように合格から不合格への変更があった場合には、ウェブページ４の制作者に修正を依頼する。逆に、ウェブページ５のように、不合格から合格へ変更になった場合、即ち連続して合格であるとみなされたときには、その旨をウェブページ５の制作者に通知する。
【０１０１】
ここでも実施例１のＳ１３と同様に、電子メールの文面や各ウェブページの制作者のメールアドレスをあらかじめ前記情報蓄積部５に保存しておき、これらを前記制御部２にて電子メールソフトなどで編集して、前記送受信部３を経由して制作者のコンピュータに送信すればよい。
【０１０２】
このようにウェブページの制作者に通知がなされることから、該制作者はコンテンツの更新がユニバーサルデザインなどの認証基準を満たしているか否かを容易に確認できる。
【０１０３】
このとき合否判定結果の変更が通知されたとしても、修正許可期間内に修正で初合格日時のリセットを免れることから、制作者のモチベーションの低下が防止でき、この点でも、ユニバーサルデザインに沿ったウェブコンテンツの普及に貢献できる。
【０１０４】
（３）実施例３
本実施例では、認証マーク制御装置１０１は、認証マーク付のウェブページをウェブ閲覧者に閲覧される直前に診断し、認証期間を表示した認証マークを発行する例を示している。ここでは認証マーク画像データはウェブ閲覧者ＰＣ１０５上にあらかじめ保存されている。
【０１０５】
具体的には、ウェブの閲覧者がウェブページを閲覧するときに、ユニバーサルデザインに従った合格期間を認証マークに表示できればよいことから、本実施例では、ウェブ閲覧者がウェブを閲覧するタイミングで、認証マークを発行する。動作フローは図１０と同様で、Ｓ２１において、認証マークの請求ではなく、ウェブページの閲覧要求があったかを判断する。
【０１０６】
このようにウェブ閲覧者がウェブページを閲覧するときに診断を行って、認証期間が表示された認証マークが発行されることから、ウェブページに付与された認証マークの信頼性が向上するばかりか、ウェブページの制作者にとってもウェブ閲覧者にアピールする手段としての有効性が一層向上する。したがって、制作者のモチベーションを向上させ、この点でユニバーサルデザインに沿ったウェブコンテンツの普及に貢献する。
【０１０７】
なお、本発明は、上記実施形態に限定されるものではなく、例えば認証マーク制御装置１０１を構成する各部１〜８としてコンピュータを機能させるプログラムに構築することもできる。
【０１０８】
この場合には、コンピュータの処理部（例えばＣＰＵなど）がプログラムコードを読み出して、各実施例の処理Ｓ０１〜Ｓ１３，Ｓ２１〜Ｓ３２が実行される。このプログラムコードは、例えばＣＤ−ＲＯＭ，ＤＶＤ−ＲＯＭ，ＣＤ−Ｒ，ＣＤ−ＲＷ，ＤＶＤ−Ｒ，ＤＶＤ−ＲＷ，ＤＶＤ＋Ｒ，ＤＶＤ＋ＲＷ，ＭＯ，ＨＤＤなど記録媒体に格納してコンピュータに提供される。また、前記プログラムを、インターネットサイトからダウンロードしてコンピュータに提供してもよい。
【図面の簡単な説明】
【０１０９】
【図１】本発明の実施形態に係る認証マーク制御装置の構成図。
【図２】同  実施例１の処理フロー図。
【図３】同  診断対象ウェブページの画面表示例。
【図４】同  診断結果入力画面の表示例。
【図５】同  合格期間６ヶ月未満の認証マーク例。
【図６】同  合格期間６ヶ月以上１年未満の認証マーク例
【図７】同  合格期間１年上の認証マーク例。
【図８】同  不合格の認証マーク例。
【図９】同  修正中を示す認証マーク例
【図１０】同  実施例２の処理フロー図。
【符号の説明】
【０１１０】
１…情報入力部
２…制御部
３…送受信部
４…情報解析部
５…情報蓄積部（データベース）
６…情報診断部（診断手段）
７…情報出力部
８…タイマ
１０１…認証マーク制御装置
１０２…ネットワーク
１０３．１０４…ウェブサーバ
１０５…ウェブ閲覧者ＰＣ
【図１】
0005033714.tif 000008
【図２】
0005033714.tif 000009
【図３】
0005033714.tif 000010
【図４】
0005033714.tif 000011
【図５】
0005033714.tif 000012
【図６】
0005033714.tif 000013
【図７】
0005033714.tif 000014
【図８】
0005033714.tif 000015
【図９】
0005033714.tif 000016
【図１０】
0005033714.tif 000017